(57)【要約】【課題】本発明の実施形態は避難時に避難誘導を行う機能を有する群管理エレベータのホールランタン装置を提供することを目的とする。【解決手段】本発明の実施形態に係るホールランタン装置は、乗場に設置される複数のホールランタン４に備えられる選択的に点灯可能な複数の光源７と、透光性を有し、光源７から照射された光を乗場に照光する照光体１０と、を備え、エレベータの運転モードが通常運転モードから避難運転モードに切り替わった場合に、複数の光源７のうち避難運転モードに対応する光源７を照光することを特徴とする。【選択図】図２
2014213987.tif 000002
【特許請求の範囲】
【請求項１】
乗場に設置される複数のホールランタンに備えられる選択的に点灯可能な複数の光源と、
透光性を有し、前記光源から照射された光を乗場に照光する照光体と、
を備え、
エレベータの運転モードが通常運転モードから避難運転モードに切り替わった場合に、前記複数の光源のうち避難運転モードに対応する光源を照光することを特徴とするホールランタン装置。
【請求項２】
前記複数の光源のうち、前記通常運転モードに対応する光源と前記避難運転モードに対応する光源の照光色が異なることを特徴とする請求項１に記載のホールランタン装置。
【請求項３】
前記複数のホールランタンのうち、前記避難運転モードに切り替わった場合に、運行可能となるエレベータに対応するホールランタンのみを点灯させ、その他のホールランタンは点滅させることを特徴とする請求項１に記載のホールランタン装置。
【請求項４】
前記ホールランタンの点滅は、運行可能となるエレベータまで誘導可能に点滅を行うことを特徴とする請求項３に記載のホールランタン装置。
【請求項５】
前記避難運転モードの際に、アナウンスによって運行可能となるエレベータを案内することを特徴とする請求項１に記載のホールランタン装置。
【請求項６】
乗場に設置される複数のホールランタンに備えられる光源と、
透光性を有し、前記光源から照射された光を乗場に照光する照光体と、
を備え、
前記光源は複数の光源の集合体にて形成されており、エレベータの運転モードが通常運転モードから避難運転モードに切り替わった場合に、前記複数の光源の集合体のうち避難運転モードに対応する光源を照光することで任意の点灯表示を行うことを特徴とするホールランタン装置。
【発明の詳細な説明】
【技術分野】
【０００１】
本発明の実施形態は、避難時に避難誘導を行う機能を有する群管理エレベータのホールランタン装置に関する。
【背景技術】
【０００２】
通常、エレベータの乗場には乗りかごの到着を知らせるホールランタンが設置されている。ホールランタンは、ＬＥＤや白熱灯などの光源をボックス内部に持ち、その光源を点灯させることにより、ボックス前面に配置されるアクリル・ガラスなどの透光素材で作られている照光体によって乗場に光が照射される。この照射光によって乗場にいる利用者に対してエレベータの到着を知らせることができる装置である。
【０００３】
しかしながら、既述のようにホールランタンはエレベータの到着を報知するために点灯・点滅するだけであるため、例えば災害発生時などの避難時にホールランタンの点灯・点滅で避難誘導することは困難であった。
【０００４】
そこで従来、デジタル式のインジケータを乗場に設け、そのインジケータの表示部に避難用の文字情報を表示するものなどが提案されている。
【先行技術文献】
【特許文献】
【０００５】
【特許文献１】特開２０１２−３５９７２号公報
【発明の概要】
【発明が解決しようとする課題】
【０００６】
しかしながら、上記のようなデジタル式のインジケータを乗場に設置できるケースは少なく、ホールランタンの設置のみで避難誘導を行うことが可能となる場合が望ましい。
【０００７】
そこで本発明の実施形態においては、火災や地震などの災害が発生し、建物から避難する場合に、ホールランタンの点灯・点滅を通常の運転時とは異なる制御とすることで、利用者に避難誘導を行うことができるホールランタン装置の提供を目的とする。
【課題を解決するための手段】
【０００８】
上記目的を達成するために、本発明の実施形態に係るホールランタン装置は、乗場に設置される複数のホールランタンに備えられる選択的に点灯可能な複数の光源と、透光性を有し、前記光源から照射された光を乗場に照光する照光体と、を備え、エレベータの運転モードが通常運転モードから避難運転モードに切り替わった場合に、前記複数の光源のうち避難運転モードに対応する光源を照光することを特徴とする。
【図面の簡単な説明】
【０００９】
【図１】本発明の第１の実施形態に係るエレベータの乗場を示す外観図である。
【図２】本発明の第１の実施形態に係るホールランタン装置の構成を示す構成図である。
【図３】本発明の第１の実施形態に係るホールランタン装置にスピーカを取り付けた構成を示す構成図である。
【図４】本発明の第２の実施形態に係るホールランタン装置の構成を示す構成図である。
【図５】本発明の第２の実施形態に係るホールランタン装置の点灯制御を示す構成図である。
【発明を実施するための形態】
【００１０】
以下、本発明の実施形態について図面を参照して説明する。
【００１１】
（第１の実施形態）
図１は、本発明の第１の実施形態に係るエレベータの乗場を示す外観図である。図２は、本発明の第１の実施形態に係るホールランタン装置の構成を示す構成図である。
【００１２】
図１に示すように、乗場１に設置される乗場ドア２の付近には、乗場呼び登録を行うため乗場呼び登録装置３が設けられている。そして、乗場呼び登録装置３の上方には、エレベータの到着を利用者に報知するためのホールランタン装置４が設置されている。
【００１３】
ホールランタン装置４は複数台のエレベータによって群管理制御される場合に取り付けられるものであり、各エレベータ号機と連動して点灯するように制御されている。具体的には、利用者が行った乗場呼び登録に対して最適なエレベータ号機が図示しない群管理制御部によって割り当てられる。そして、乗場呼び登録に対して割り当てられたエレベータ号機に対応したホールランタン装置４が点灯することにより、乗場１にいる利用者に対してエレベータ号機の到着を報知することができる。
【００１４】
次に、本実施形態に係るエレベータの運転モードについて説明する。本実施形態に係るエレベータの運転モードとしては、通常の運転制御を行う「通常運転モード」と、火災や地震などの災害発生時に特殊な運転制御を行う「避難運転モード」とを有している。
【００１５】
通常運転モードは、上述のように通常の運転制御を行う運転モードであり、例えば、利用者が乗場１にて乗場呼び登録装置３を操作することによって、乗場呼び登録を行った場合に、呼び登録信号が群管理制御部に入力され、群管理制御部は現在の複数台のエレベータの運行状況に応じて最適なエレベータ号機を複数の号機の中から選択し、割当制御を行うものである。
【００１６】
避難運転モードは、火災や地震などの災害が発生した場合に、複数台のエレベータから少なくとも１台を災害時に運行する避難用エレベータとして用い、避難者を避難階まで避難させる制御を行うものである。
【００１７】
この避難運転モードは、基本的に災害時に避難用エレベータを避難運転可能な階床の乗場（避難運転可能階床）に待機させ、または避難運転対象階床間で避難用エレベータを低速で巡回運行する役割を担っている。この避難運転制御により所定の避難用エレベータの乗場に存在する在館者の速やかな避難を実現することができる。
【００１８】
エレベータの運転は、基本的には通常運転モードにて運転制御を行っており、通常運転モードから避難運転モードに切り替わるのは、火災や地震などの災害が発生した場合である。
【００１９】
運転モードの切り替えについてはここでは詳細には説明しないが、例えば、制御装置や乗りかご、乗場などの任意の場所に設置される熱センサや煙センサ等によって検出される情報を入力して災害の発生を検出する災害検出部がエレベータ制御装置に備えられ、この災害検出部からの信号を受け取ると、エレベータの運転制御を切り替える。
【００２０】
このようにして、エレベータの運転制御を通常運転モードから避難運転モードに切り替わるように制御している。
【００２１】
しかし、例えば火災が発生し、乗場が火災に伴う煙によって視界が悪い場合など、在館者が複数のエレベータ号機のうち、どの号機が避難用エレベータであるかを認識することができない場合がある。そこで本実施形態に係るホールランタンにより避難誘導を行うものとする。以下、本実施形態に係るホールランタンの作用について詳細に説明する。
【００２２】
図２に示すように、ホールランタン装置４は、乗場１側に開口部を有する筺体５と、開口部を塞ぎ乗場１の意匠面を構成するフェースプレート６を構成物として有している。また、筺体５内部には上昇・下降用それぞれの光源７ａ、７ｂが備えられている。
【００２３】
フェースプレート６には光源７の照光を乗場側に透過させるための照光体１０が取り付けられている。照光体１０はアクリル樹脂やガラス等の透光性素材から成形されている。図２に示すように、照光体１０は、光源７ａ、７ｂに対応するように照光体１０、１０ｂとして構成されており、光源７ａの照光は照光体１０ａを通じて、光源７ｂの照光は照光体１０ｂを通じて乗場側に照射される。
【００２４】
つまり、ホールランタン装置４の照光体１０ａが照光した場合には、エレベータの乗場１に乗りかごが到着するとともに到着後の乗りかごの走行方向が上昇方向であることを予報する。一方、ホールランタン装置４の照光体１０ｂが照光した場合には、エレベータの乗場１に乗りかごが到着するとともに到着後の乗りかごの走行方向が下降方向であることを予報する。
【００２５】
また、ホールランタン装置４は、筺体５を乗場１の壁面内に埋めるように配置させ、フェースプレート６の表面が乗場１の壁面表面と同一面になるように設けられている。
【００２６】
さらにホールランタン等装置４は、この光源７とは別にエレベータの運転モードが避難運転モードに切り替わった場合に光源７に代わって点灯する避難時光源８も有している。避難時光源８は上昇用の光源７の上方に取り付けられている。光源７及び避難時光源８はエレベータの運転を制御する制御部９と接続されており、エレベータの運転制御に連動してそれぞれの光源が点灯するように制御される。
【００２７】
すなわち、具体的にはまずエレベータの運転モードが通常運転モードの際は、利用者が存在する階床においてエレベータの乗りかごが着床する場合、乗りかごの走行方向が上昇方向である場合には、制御部９は光源７ａに対して点灯制御を行う。一方、乗りかごの走行方向が下降方向である場合には、制御部９は光源７ｂに対して点灯制御を行う。
【００２８】
また、エレベータの運転モードが通常運転モードから避難運転モードに切り替わった場合、制御部９は避難用光源８に対して点灯制御を行う。
【００２９】
以上のようにして、本実施形態に係るホールランタン装置４はエレベータの運転制御に応じて光源７及び避難用光源８の点灯制御を行うことにより、利用者の利便性を確保することができる。火災などの災害発生時には、利用者が乗場にて複数台あるエレベータのうち、どの号機が避難用エレベータとして使用可能であるかを即座に認識できる効果を得ることができる。
【００３０】
また、本実施形態においては、避難用光源８の点灯色を光源７とは異なる色を照光させるものとしてもよい。光源７と避難用光源８の照光色を異なるものとすることにより、乗場１にいる利用者に対して、避難用エレベータがどの号機であるかをすぐに認識可能となる効果がある。
【００３１】
また、本実施形態においては、エレベータの運転モードが通常運転モードから避難運転モードに切り替わった場合、制御部９が避難用光源８に対して点灯制御を行うものとしたが、これに限らず、点滅制御を行うものとしてもよい。さらに、避難運転モードに切り替わった後に光源７を点灯させたまま、避難用光源８を点滅制御するものであったり、逆に光源７を点滅させて避難用光源８を点灯制御するものとしてもよい。
【００３２】
さらに、上記のように光源７を点滅制御させることにより、複数個ホールランタン装置を連動制御させて点滅の順序および時間間隔を制御させることにより、避難用エレベータに対応する号機まで点滅案内するものとしてもよい。
【００３３】
また、図３に示すようにホールランタン装置４にスピーカ１１を備え付けるものとしてもよい。これにより、災害発生時に視界が悪い場合や、弱視者が乗場１にいる場合などに、音声アナウンスを行うことで避難誘導を行うことができるようになる。
【００３４】
（第２の実施形態）
次に本発明の第２の実施形態に係るホールランタン装置について説明する。図４は本発明の第２の実施形態に係るホールランタン装置の構成を示す構成図である。図５は本発明の第２の実施形態に係るホールランタン装置の点灯制御を示す構成図である。
【００３５】
図４に示すように本実施形態に係るホールランタン装置１２は第１の実施形態に係るホールランタン装置４に備えられていた光源７及び避難用光源８の代わりに複数色の光源を有する多色ＬＥＤ光源１３が備えられている。
【００３６】
さらに、ホールランタン装置１２には選択部１４が備えられており、この選択部１４は制御部９と信号線１５によって接続されている。選択部１４は多色ＬＥＤ光源１３に接続されており、選択部１４は制御部９からの信号に基づいて、多色ＬＥＤ光源１３のうちの所定の色の光源を照光させるように点灯制御を行う。
【００３７】
これにより、第１の実施形態に係るホールランタン装置４と違い、光源の系統を一系統のみで到着灯としての光源と避難誘導灯としての光源とを提供することができる。
【００３８】
また、図５に示すように多色ＬＥＤ光源１３を用いることにより、避難誘導灯として点灯させる場合に所定の文字を表示するものとしても利用できる。多色ＬＥＤ光源１３に配置されるＬＥＤチップ１６を利用し、例えば、「ヒナン」等の文字配列に対応するＬＥＤチップ１６を点灯・点滅させることにより、より分かりやすく避難用エレベータへの誘導を促すことができる。
【００３９】
この場合、多色ＬＥＤ光源１３上に文字列の全てを表示できる場合は、その文字列に対応するＬＥＤチップ１６を点灯若しくは、その他のＬＥＤチップと異なる配色にて点灯させることにより表示を行う。
【００４０】
一方、多色ＬＥＤ光源１３上に文字列の全てを表示できない場合は、ＬＥＤチップ１６をスクロール点灯させるように制御することにより、文字列の表示を行う。表示の方法としては、既述のように、文字列に対応するＬＥＤチップ１６のみを点灯させてもよいし、対応外のＬＥＤチップ１６の点灯色とは異なる点灯色によって文字列に対応するＬＥＤチップ１６を点灯制御するものとしてもよい。
【００４１】
なお、これらの場合の照光体１０は、多色ＬＥＤ光源１３の点灯による文字列の表示が読み取れるような透光性を有する材料を用いて構成させておく。
【符号の説明】
【００４２】
１…乗場
２…乗場ドア
３…乗場呼び登録装置
４…ホールランタン装置
５…筺体
６…フェースプレート
７…光源
８…避難用光源
９…制御部
１０…照光体
１１…スピーカ
１２…ホールランタン装置
１３…多色ＬＥＤ光源
１４…選択部
１５…信号線
１６…ＬＥＤチップ
【図１】
2014213987.tif 000003
【図２】
2014213987.tif 000004
【図３】
2014213987.tif 000005
【図４】
2014213987.tif 000006
【図５】
2014213987.tif 000007
【手続補正書】
【提出日】平成26年5月23日(2014.5.23)
【手続補正１】
【補正対象書類名】特許請求の範囲
【補正対象項目名】請求項１
【補正方法】変更
【補正の内容】
【請求項１】
乗場に設置される複数のホールランタンに備えられる選択的に点灯可能な複数の光源と、
透光性を有し、前記光源から照射された光を乗場に照光する照光体と、
を備え、
エレベータの運転モードが通常運転モードから避難運転モードに切り替わった場合に、利用者が乗場にて複数台あるエレベータのうち、どの号機が避難用として使用可能であるかを認識することができるように前記複数の光源のうち前記避難運転モードに対応する光源を照光することを特徴とするホールランタン装置。
【手続補正２】
【補正対象書類名】特許請求の範囲
【補正対象項目名】請求項６
【補正方法】変更
【補正の内容】
【請求項６】
乗場に設置される複数のホールランタンに備えられる光源と、
透光性を有し、前記光源から照射された光を乗場に照光する照光体と、
を備え、
前記光源は複数の光源の集合体にて形成されており、エレベータの運転モードが通常運転モードから避難運転モードに切り替わった場合に、利用者が乗場にて複数台あるエレベータのうち、どの号機が避難用として使用可能であるかを認識することができるように、前記複数の光源の集合体のうち前記避難運転モードに対応する光源を照光することで任意の点灯表示を行うことを特徴とするホールランタン装置。
【手続補正３】
【補正対象書類名】明細書
【補正対象項目名】０００８
【補正方法】変更
【補正の内容】
【０００８】
上記目的を達成するために、本発明の実施形態に係るホールランタン装置は、乗場に設置される複数のホールランタンに備えられる選択的に点灯可能な複数の光源と、透光性を有し、前記光源から照射された光を乗場に照光する照光体と、を備え、エレベータの運転モードが通常運転モードから避難運転モードに切り替わった場合に、利用者が乗場にて複数台あるエレベータのうち、どの号機が避難用として使用可能であるかを認識することができるように前記複数の光源のうち前記避難運転モードに対応する光源を照光することを特徴とする。